(57)【要約】【課題】櫛歯部と植毛部とを有する染毛用塗布具において、櫛歯部に適量の染毛剤刷毛部に容易に載せられるようにし、染毛後に不要に染毛剤が残存することを防止する。【解決手段】櫛歯１２が列設されてなる櫛歯部１１と、ブラシ毛１４が植えられた植毛部１３を有する染毛用塗布具１Ａにおいて、植毛部１３を櫛歯列に沿って櫛歯部の両側に設け、ブラシ毛１４の高さを櫛歯１２の高さよりも高くする。また、櫛歯１２及びブラシ毛１４が起立する塗布具本体の基面を、植毛部１３に対して櫛歯部１１で突出させる。【選択図】図１
2006326081.tif 000002
【特許請求の範囲】
【請求項１】
櫛歯が列設されている櫛歯部と、ブラシ毛が植えられた植毛部を有する染毛用塗布具であって、
上記植毛部が櫛歯列に沿って櫛歯部の両側に設けられ、
ブラシ毛の高さが櫛歯の高さよりも高く、
櫛歯及びブラシ毛が起立する塗布具本体の基面が、植毛部に対して櫛歯部で突出している染毛用塗布具。
【請求項２】
植毛部が櫛歯部の全周に設けられている請求項１記載の染毛用塗布具。
【発明の詳細な説明】
【技術分野】
【０００１】
本発明は、櫛歯部と植毛部を備えた染毛用塗布具に関する。
【背景技術】
【０００２】
板状の柄の一端部に、柄と一体に樹脂成型した櫛部を設け、その櫛部の背面に刷毛部を設け、柄の他端部にスライス棒を設けた染毛用櫛が知られている（特許文献１）。この染毛用櫛の刷毛部は、太毛部とその周囲に設けられた細毛部とからなり、これらは櫛部よりも軟らかい樹脂で成型されている。この染毛用櫛の使用方法としては、刷毛部の中央部の太毛部にクリーム状の染毛剤を載せて毛髪に塗布し、次いで櫛部で毛髪を梳いて染毛剤を毛髪全体にいきわたらせる。
【０００３】
また、染毛用櫛としては、板状の柄の一端部に、柄と一体に樹脂成型した櫛部を設け、その櫛部の背面に、ブラシ毛を植毛したブラシ部を設けたものが知られている（特許文献２）。
【０００４】
さらに、櫛部とブラシ部を並設し、ブラシ部の毛の長さを櫛部の櫛歯の長さよりも短くしたものが提案されている（特許文献３）。この櫛の使用方法としては、櫛部とブラシ部との段差部分にペースト状の染毛剤を載せ、櫛で梳くことにより毛髪に剤を塗布する。
【０００５】
【特許文献１】特開２０００−１６６６３５号公報
【特許文献２】特開平１０−７１０２０号公報
【特許文献３】実開平６−４１６０２号公報
【発明の開示】
【発明が解決しようとする課題】
【０００６】
しかしながら、特許文献１に記載の染毛用櫛は、染毛剤を毛髪に塗布した後に、なお刷毛部の中央部の太毛部に染毛剤が残存し、染毛を始める時に太毛部に載せた染毛剤を使いきらないという問題点がある。また、刷毛部の太毛部と細毛部が双方とも樹脂成型により作られているので刷毛部の柔軟性が不足し、刷毛部で染毛剤を毛髪に塗布する際に染毛剤がはねる場合があり、染毛作業がやり難いものとなっている。
【０００７】
これに対して、特許文献２に記載の染毛用櫛は、ブラシ部が植毛したブラシ毛のみからなるので、染毛剤を毛髪に塗布した後に、染毛用櫛の中央部に染毛剤が残存するという問題は生じず、また、染毛剤の塗布時に染毛剤がはねることも防止できるが、塗布したい部位の根元を露出させておかないと、染毛剤を毛髪の根元に塗りにくい。
【０００８】
特許文献３に記載の櫛は、樹脂成型した櫛歯からなる櫛部と、植毛したブラシ毛からなるブラシ部とを並設させているので、染毛時に染毛剤がはねることを防止できるが、染毛剤を載せる部位が櫛部とブラシ部との段差部分という狭い領域であるため、染毛剤を載せにくい。
【０００９】
そこで、本発明は、櫛歯からなる櫛歯部と、植毛したブラシ毛からなる植毛部とを並設させた刷毛部を有する染毛用塗布具において、染毛を始める時には刷毛部に適量の染毛剤を容易に載せられるようにすると共に、染毛剤を塗布した後には刷毛部に染毛剤が不要に残存することを防止することを目的とする。
【課題を解決するための手段】
【００１０】
本発明者は、櫛歯からなる櫛歯部と、ブラシ毛からなる植毛部とを有する染毛用塗布具において、櫛歯列に沿って櫛歯部の両側に植毛部を設け、かつ櫛歯部の櫛歯よりも植毛部のブラシ毛の高さを高くし、櫛歯部が植毛部で挟まれた凹部となるようにすると、その凹部に適量の染毛剤を容易に載せられ、その際、櫛歯及びブラシ毛が起立する塗布具本体の基面を、植毛部に対して櫛歯部で突出させると、染毛後に染毛剤が櫛歯部に不要に残存するのを防止できることを見出した。
【００１１】
即ち、本発明は、櫛歯が列設されてなる櫛歯部と、ブラシ毛が植えられた植毛部を有する染毛用塗布具であって、
上記植毛部が櫛歯列に沿って櫛歯部の両側に設けられ、
ブラシ毛の高さが櫛歯の高さよりも高く、
櫛歯及びブラシ毛が起立する塗布具本体の基面が、植毛部に対して櫛歯部で突出している染毛用塗布具を提供する。
【発明の効果】
【００１２】
本発明の染毛用塗布具によれば、刷毛部において、櫛歯部と植毛部が並設されているので、容易に髪の根元まで染毛することができ、染毛前に予め髪の根元を露出させておくことが不要である。また、染毛時に染毛剤がはねることを防止できる。
【００１３】
さらに、本発明の染毛用塗布具の刷毛部では、櫛歯部が植毛部に挟まれた凹部となるので、この凹部に適量の染毛剤を容易に載せることができるとともに、櫛歯及びブラシ毛が起立する塗布具本体の基面が、植毛部に対して櫛歯部で突出しているので、染毛時に染毛剤が櫛歯部から植毛部に流れやすくなり、染毛後に染毛剤が櫛歯部に不要に残存することを防止できる。
【発明を実施するための最良の形態】
【００１４】
以下、図面を参照しつつ、本発明を詳細に説明する。なお、各図中、同一符号は同一または同等の構成要素を表している。
【００１５】
図２は、本発明の一態様の染毛用塗布具１Ａの側面図、図１はその刷毛部１０の斜視図（ａ）、上面図（ｂ）と断面図（ｃ）である。
【００１６】
この染毛用塗布具１Ａは、板状の柄２の一端部に柄２と一体に樹脂成型した櫛部３を設け、その櫛部３の背面に刷毛部１０を設け、柄２の他端部に柄２と一体に樹脂成型したスライス部４を設けたものである。
【００１７】
刷毛部１０は、樹脂成型された櫛歯１２が列設された櫛歯部１１と、該櫛歯部１１の全周を囲むように設けられた植毛部１３からなっている。
【００１８】
櫛歯部１１の櫛歯１２は、直径１．２〜１．８ｍｍ、高さ３〜８ｍｍの柱状とすることが好ましい。櫛歯１２の配列は、その径に応じて、図示したように２列に配置してよく、１列あるいは３列以上に配置してもよい。
【００１９】
植毛部１３では、ブラシ毛１４が束状に植毛されたブリッスル１５が、櫛歯列に沿ってその櫛歯部１１の両側に一重に列設され、さらに櫛歯列の両端部側にも列設され、櫛歯部１１を囲んでいる。特に、刷毛部１０の先端部では、ブリッスル１５が複数列配置され、植毛部１３の領域が刷毛部１０の先端部方向に拡大している。ブリッスル１５の配置態様としては、図６に示したように櫛歯部１１の全周にわたって一重としてもよいが、図１に示したように刷毛部１０の先端部で植毛部１３の領域を拡大することにより、この先端部の植毛部１３ａを用いてはえ際や髪の根元等の部分染めを容易に行えるようになる。
【００２０】
植毛部１３のブラシ毛１４の先端の高さは、櫛歯１２の先端の高さよりも高い。したがって、刷毛部１０の外形は、中央部の櫛歯部１１がその周囲の植毛部１３に対して凹んだ形状となっている。よって、この染毛用塗布具１Ａを用いて染毛剤を毛髪に塗布する際には、刷毛部１０の凹みに適量のペースト状の染毛剤を容易に載せることができ、それを毛髪に塗布するまで安定的に保持することが可能となる。なお、刷毛部１０の凹みに染毛剤を容易に載せられるようにするためには、植毛部１３を、少なくとも、櫛歯列に沿って櫛歯部１１の両側に設ければよく、必ずしも櫛歯部１１の全周を囲むように設けなくてもよい。ブラシ毛１４の具体的な高さＨ１としては、８〜１２ｍｍとし、ブラシ毛１４の先端と櫛歯１２の先端との高さの差Ｈ２を３〜５ｍｍとすることが好ましい。
【００２１】
また、ブラシ毛１４としては、ポリアミド等から形成した直径０．１〜０．３ｍｍのものが好ましい。ブラシ毛１４の色としては、一般的な不透明黒色着色したもの以外に無着色のものや淡く着色したものを使用することで、櫛歯部１１に取った染毛剤の量や染毛作業中の残量、部分染めの際のブラシ毛１４の先端位置が確認しやすくなる。
【００２２】
櫛歯部１１を挟んで対向する植毛部１３の間にペースト状の染毛剤を適量載せられるようにする点から、櫛歯部１１を囲む植毛部１３の長手方向の幅Ｌ１は３５〜５０ｍｍ、櫛歯部１１を挟む植毛部１３の間隔Ｌ２は７〜１３ｍｍとすることが好ましい。
【００２３】
植毛部１３のしなり度合いに関し、図５に示すように、櫛歯部１１の片側の植毛部１３の長手方向の幅の全長に亘って、ブラシ毛１４の高さ１０ｍｍの位置に厚さ１ｍｍ程度の押板２０を線接触するように当て、矢印で示すように、ブラシ毛１４の起立方向と垂直に、植毛部１３から櫛歯部１１の方向にブラシ毛１４を押圧して弾性変形させた場合に、押圧位置でのブラシ毛１４の変位量ｘを２．５〜５．５ｍｍとするために要する押圧力が、植毛部の幅１０ｍｍあたり０．７〜１．３Ｎとなるようにすることが好ましい。この植毛部１３のしなり度合いは、複数のブリッスル１５からなる植毛部１３を一つの弾性体の梁として捉え、そのしなり具合を特定の範囲に限定するもので、これにより、刷毛部１０の櫛歯部１１に染毛剤を載せてそれを毛髪に塗布するときに、染毛剤がはねることを確実に防止でき、かつ、植毛部１３で染毛剤を毛髪の根元方向に押し込みつつ櫛歯部１１で毛髪を梳くことが容易となり、さらに、植毛部１３で染毛剤を毛髪全体に塗り広げることが容易となる。
【００２４】
植毛部１３のしなり度合いについて、植毛部１３の幅１０ｍｍあたりの変位量ｘと押圧力との関係は、具体的には、ＪＩＳ  Ｋ７１８１−１９９４に準じて測定することができる。即ち、圧縮試験機を２０ｍｍ／ｍｉｎの押圧速度（移動速度）で用いてブラシ毛の押圧力を測定した場合の、押板２０がブラシ毛１４に当接してから１０ｍｍ押す間の最大値から求める。なお、押板２０を当てる植毛部１３の外形が曲面の場合には、その曲面に沿った押板２０を当てて変位量ｘと押圧力との関係を求める。
【００２５】
植毛部１３のしなり度合いは、ブラシ毛１４の素材、ブラシ毛１４の太さ、ブリッスル当たりのブラシ毛１４の植毛本数、ブリッスル１５の植毛穴の径、植毛穴のピッチ等に依存する。したがって、本発明においては、植毛部１３のしなり度合いが上述の範囲となるように、これらを適宜設定する。例えば、ブラシ毛１４の素材にポリアミドを使用し、ブラシ毛１４の太さを０．２ｍｍ、ブリッスル当たりのブラシ毛１４の植毛本数を３０本、ブリッスル１５の植毛穴の径を１．４ｍｍ、植毛穴のピッチを３ｍｍとした場合に、好ましいしなり度を得ることができる。これに対し、例えば、ブラシ毛の長さ、太さ、植毛本数、植毛穴ピッチを同じにし、弾性率の低いブラシ毛素材を使用すると、植毛部がしなりやすくなり、染毛剤を塗り広げにくくなる。逆に、弾性率の高いブラシ毛素材を使用すると、植毛部が固くてしなりにくくなり、塗布中に剤が飛散してしまう等の問題が発生しやすい。同様に、植毛部の剛性を低くする構成、例えば、ブラシ毛の太さを細くする、植毛本数を減らす、植毛穴ピッチを広げる等を実施すると、植毛部がしなりやすくなり、染毛剤を塗り広げにくくなる。一方、植毛部の剛性を高くする構成、例えば、ブラシ毛の太さを太くする、植毛本数を増やす、植毛穴ピッチを狭くする等を実施すると、植毛部が固くてしなりにくくなり、塗布中に染毛剤が飛散してしまう等の問題が起こる。従って、植毛部１３が前述の特定のしなり度合いを有するように各パラメーターの選定を最適化することで、塗布しやすく、かつ剤の飛び散りが押さえられるブラシ部を得ることができる。
【００２６】
この染毛用塗布具１Ａは、上述した櫛歯１２及びブラシ毛１４が起立する塗布具本体の基面、即ち刷毛部１０の基面１７が、植毛部１３に対して櫛歯部１１でなだらかに突出していることを特徴としている。これにより、染毛時に染毛剤が櫛歯部１１から植毛部１３に流れやすくなり、染毛後に染毛剤が櫛歯部１１に不要に残存することを防止できる。
【００２７】
刷毛部１０の基面１７の突出の態様は、図１ｃに示したように、櫛歯列に垂直な、刷毛部の横断面において、植毛部１３における基面１７ａがほぼ水平で、櫛歯部１１における基面１７ｂが山形となるようにしてもよく、あるいは、図３に示したように、刷毛部１０の縁部から櫛歯部１１の中央部に向かって基面１７がかまぼこ型に盛り上がるようにしてもよく、図４に示すように刷毛部１０全体で基面１７が山形に盛り上がるようにしてもよく、種々の態様をとることができる。
【００２８】
刷毛部１０の基面１７の突出の程度は、大きすぎると櫛歯１２の効果が低減して塗布性が損なわれ、小さすぎると基面１７を突出させる効果を得られないので、櫛歯部１１における基面１７ｂの最高位と刷毛部１０の縁部における基面との高さの差Ｈ３が３ｍｍ〜6ｍｍとなるようにすることが好ましいが、ブラシ毛の高さＨ１、ブラシ毛の先端と櫛歯の先端との高さの差Ｈ２、およびブラシ毛の剛性や植毛率とペースト状の染毛剤の処方、粘度に応じて適宜調整する。
【００２９】
この染毛用塗布具１Ａの製造方法としては、櫛歯部１１を有する刷毛部基部１６、柄２、櫛部３及びスライス部４を一体的に樹脂成型し、得られた成型品の櫛歯部１１の周りにブラシ毛１４を植毛すればよい。ここで、成型する樹脂に、透明性の高い樹脂（例えば、透明ポリプロピレン（ＰＰ）、ポリエチレンナフタレート（ＰＥＮ）、ポリスチレン（ＰＳ）等を使用すると、意匠性を向上させることができるので好ましい。
【００３０】
本発明の染毛用塗布具は、この他種々の態様をとることができる。例えば、櫛歯列に沿ったブリッスル１５の配列態様は、図７に示したように交互にずらしてもよい。交互にずらす場合、隣り合うブリッスルの間隔Ｄは、図１に示した態様と同程度とし、染毛剤が刷毛部１０の凹みに適度に保持されるようにする。
【００３１】
また、はえ際、髪の根元等の部分染めを容易に行えるようにするために、刷毛部１０の先端部でブリッスル１５を複数列配置することに代えて、図８に示すように、刷毛部１０の先端部の植毛部１３ａにおいて、ブリッスル１５の植毛パターンを密にすることによりブラシ毛１４の植毛密度を高くしてもよい。また、図９に示すように、刷毛部１０の先端部において、植毛部１３ａの領域を刷毛部１０の先端方向に拡大し、かつこの領域のブラシ毛１４の植毛密度を高めてもよい。
【００３２】
この場合、図１０に示すように刷毛部基部１６にくびれを設けることにより、あるいは図１１に示すように刷毛部基部１６の先端部にＲをもたせることにより、先端部の植毛部１３ａの視認性を高めてよく、さらには図１２に示すように先端部を先細に突出させて形成することにより、より細部の塗布に対応できるようにしてもよい。
【００３３】
また、図１３に示した染毛用塗布具１Ｂのように、柄２を、櫛部３側とスライス部４側とに分離して成型し、これらが着脱自在に嵌合するようにしてもよい。これにより、染毛用塗布具１Ｂの製品をコンパクトに梱包することができる。また、染毛用塗布具において、スライス部４は、省略してもよい。
【００３４】
さらに、刷毛部１０の櫛歯１２に染毛剤の吐出路と吐出孔を形成し、その吐出路を、染毛剤を収容したエアゾール容器、スクイズ容器等の容器と連通させ、容器内の染毛剤が櫛歯から吐出されるようにしてもよい。
【産業上の利用可能性】
【００３５】
本発明の染毛用塗布具は、染毛剤を毛髪に塗布するのために有用となる。
【図面の簡単な説明】
【００３６】
【図１】刷毛部の斜視図（ａ）、上面図（ｂ）、及び断面図（ｃ）である。
【図２】染毛用塗布具の側面図である。
【図３】刷毛部の異なる態様の断面図である。
【図４】刷毛部の異なる態様の断面図である。
【図５】植毛部のしなり度合いの測定方法の説明図である。
【図６】染毛用塗布具の異なる態様の上面図である。
【図７】染毛用塗布具の異なる態様の上面図である。
【図８】染毛用塗布具の異なる態様の上面図である。
【図９】染毛用塗布具の異なる態様の上面図である。
【図１０】染毛用塗布具の異なる態様の上面図である。
【図１１】染毛用塗布具の異なる態様の上面図である。
【図１２】染毛用塗布具の異なる態様の上面図である。
【図１３】染毛用塗布具の異なる態様の側面図である。
【符号の説明】
【００３７】
１Ａ、１Ｂ    染毛用塗布具
２    柄
３    櫛部
４    スライス部
１０    刷毛部
１１    櫛歯部
１２    櫛歯
１３    植毛部
１３ａ  刷毛部の先端部の植毛部
１４    ブラシ毛
１５    ブリッスル
１７    刷毛部の基面
２０    押板
【図１】
2006326081.tif 000003
【図２】
2006326081.tif 000004
【図３】
2006326081.tif 000005
【図４】
2006326081.tif 000006
【図５】
2006326081.tif 000007
【図６】
2006326081.tif 000008
【図７】
2006326081.tif 000009
【図８】
2006326081.tif 000010
【図９】
2006326081.tif 000011
【図１０】
2006326081.tif 000012
【図１１】
2006326081.tif 000013
【図１２】
2006326081.tif 000014
【図１３】
2006326081.tif 000015